(57)【要約】【課題】  太陽光システムにおいて、表示装置を多種多様なユーザのエコ意識の要望に容易に対応させる。【解決手段】  太陽電池モジュールとパワーコンディショナと、パワーコンディショナで交流に変換された電気を分電する分電盤と、電力の売電と買電を検知する電流センサと、パワーコンディショナを介して発電された発電電力情報や電流センサで検知した情報より売電電力と買電電力の電力情報を算出するセンサ装置と、センサ装置から電力情報を受信して表示する表示装置と、を備え、表示装置には、前記検出した電力の売電もしくは買電の情報を発光色の違いでの点灯又は消灯することができるＬＥＤ表示部と、前記売電電力と買電電力の電力情報を表示または消灯することができる表示部と、表示部の表示の内容を選択するスイッチ部と、を備え、ＬＥＤ表示部の点灯内容と表示部の表示内容とを個別に設定できる。【選択図】図３
2018133863.tif 000002
【特許請求の範囲】
【請求項１】
太陽電池モジュールと、
該太陽電池モジュールで発電された直流電力を交流電力に変換するパワーコンディショナと、
該パワーコンディショナで交流に変換された電気を分電する分電盤と、
電力の売電と買電を検知する電流センサと、
前記パワーコンディショナを介して発電された発電電力情報や前記電流センサで検知した情報より売電電力と買電電力の電力情報を算出するセンサ装置と、
該センサ装置から電力情報を受信して表示する表示装置と、を備え、
該表示装置には、
前記検出した電力の売電もしくは買電の情報を発光色の違いでの点灯又は消灯することができるＬＥＤ表示部と、
前記売電電力と買電電力の電力情報を表示または消灯することができる表示部と、
前記表示部の表示の内容を選択するスイッチ部と、を備え、
前記ＬＥＤ表示部の点灯内容と前記表示部の表示内容とを個別に設定できることを特徴とする太陽光システム用表示装置。
【発明の詳細な説明】
【技術分野】
【０００１】
本発明は、太陽光のエネルギーを用いて発電をおこなう太陽光発電システム用の表示装置に関するものである。
【背景技術】
【０００２】
太陽光発電システムは、太陽電池パネル（太陽電池モジュール）で発電した電力をパワーコンディショナで商用交流に変換し、家庭内で消費したり、商用系統に逆潮流させたりするシステムである。このような太陽光発電システムでは、太陽電池モジュールにおける発電量や商用電力への売・買電量、家庭内における電力消費量などをユーザに知らせるための通知表示部が設けられ、省エネモードに設定することで、この表示部を非表示とするものがある（特許文献１）。
【先行技術文献】
【特許文献】
【０００３】
【特許文献１】特開２０１６−１０２４２号公報
【発明の概要】
【発明が解決しようとする課題】
【０００４】
前述した太陽光発電システムは設置した後で、パワーコンディショナのスタートやストップなどの操作は必要ないため、太陽光発電システムを導入している顧客が、毎日、表示装置を頻繁に見ることは少ない。そのため、夜間、発電が停止したときに、太陽光発電システムの表示装置が電気を使用して表示やＬＥＤを点灯させることがムダと思われることもある。
【０００５】
本発明は、前述した従来技術の問題点を改善するため、表示装置を多種多様なユーザのエコ意識の要望に容易に対応させることを目的とする。
【課題を解決するための手段】
【０００６】
本発明は、上記の課題を解決するためになされたもので、太陽電池モジュールと、該太陽電池モジュールで発電された直流電力を交流電力に変換するパワーコンディショナと、該パワーコンディショナで交流に変換された電気を分電する分電盤と、電力の売電と買電を検知する電流センサと、前記パワーコンディショナを介して発電された発電電力情報や前記電流センサで検知した情報より売電電力と買電電力の電力情報を算出するセンサ装置と、該センサ装置から電力情報を受信して表示する表示装置と、を備え、該表示装置には、前記検出した電力の売電もしくは買電の情報を発光色の違いで表示するＬＥＤ表示部と、前記売電電力と買電電力の電力情報を表示する表示部と、表示の内容を選択するスイッチ部と、を備え、前記ＬＥＤ表示部の点灯内容と前記表示部の表示内容とを個別に設定できるものである。
【発明の効果】
【０００７】
本発明にかかる太陽光発電システム用表示装置によれば、パワーコンディショナが発電していない、いわゆる売電していない時間帯において、太陽光に関わる周辺機器の表示装置について、「ＬＥＤを点灯させない」、「画面を表示させない」など、ユーザ側のエコ意識に沿った運用形態となるよう容易に設定することができる。
【図面の簡単な説明】
【０００８】
【図１】一実施例の太陽光発電システムのシステム構成を示すブロック図
【図２】一実施例の表示装置の内部構成の一例を示す説明図
【図３】一実施例の表示装置の表示一例（表示点灯、ＬＥＤ点灯）を示す説明図
【図４】一実施例の表示装置の表示一例（表示消灯、ＬＥＤ点灯）を示す説明図
【図５】一実施例の表示装置の表示一例（表示消灯、ＬＥＤ消灯）を示す説明図
【図６】一実施例の表示装置のＬＥＤ点灯設定パターン一例を示す説明図
【図７】一実施例の表示装置の画面表示設定パターン一例を示す説明図
【発明を実施するための形態】
【０００９】
以下に添付図面を参照して、本発明にかかる太陽光発電システム用表示装置の好適な実施の形態を詳細に説明する。
【００１０】
図１は、実施の形態にかかる太陽光発電システム１００のシステム構成を示すブロック図である。太陽光発電システム１００は、太陽電池モジュール１、接続装置２、パワーコンディショナ３、表示装置４、電流センサ７、センサ装置８、分電盤９、によって構成される。本実施の形態において、太陽光発電システム１００は、家庭内の電気機器で消費する電力を供給し、余った電気を電力会社に買い取ってもらう一般家庭の住宅向け、および発電した電力はすべて電力会社に買い取ってもらう１０ｋＷ以上５０ｋＷ未満の低圧連系向け産業用に設置している。
【００１１】
太陽電池モジュール１は、住宅の屋根や屋上などに設けられ、太陽光のエネルギーを用いて発電をおこなう。図示の例では、４つの太陽電池モジュール１が直列に接続された系統が３系統からなる系統は、接続装置２で集約し、１系統にしてパワーコンディショナ３に接続される。なお、パワーコンディショナ３には前記接続装置２の機能を本体に内蔵したものも存在する。
【００１２】
パワーコンディショナ３は、太陽電池モジュール１で発電された電気を直流から交流に変換する。パワーコンディショナ３は、太陽光発電システム１００が設置された住宅の室内（たとえば風呂場の脱衣所など）や屋外（壁面や架台上など）に設置されており、インバータ制御を用いて電気を直流から交流に変換する。そして、変換した電気を分電盤９から電力メータ６を経由して系統５へ送電している。なお、余剰電力を電力会社に売電する一般家庭の場合は、分電盤９から家庭内機器１０へ電気を供給した結果余った電気のみ系統５へ電気が流れることになる。そのため、電力メータ６は買電用と売電用の２つ設置することになる。一方、通称、全量買取といわれ、家庭内機器１０がないことで電力メータ６は売電用メータ１つで構成され、発電した電気すべてを系統５に送電することで電力会社に電気を購入してもらっている。
【００１３】
また、パワーコンディショナ３には、センサ装置８が接続されている。
【００１４】
そして、センサ装置８ではパワーコンディショナ３を介して発電された発電電力情報や故障情報の他、分電盤９から電力メータ６への電線に接続した電流センサ７により、売電電力や買電電力を算出し、その情報を無線通信等で表示装置４へ伝送している。
【００１５】
ここで、図２は、太陽光発電システム１００における表示装置４の内部構成の一例を示す説明図である。前述したように、表示装置４は、通信部４ｇを介した無線通信等でセンサ装置８から伝送される発電電力や売電または、買電電力データを演算し、表示部４ｂで表示している。この時、ＬＥＤ部４ａでは、売電中は「青色」、買電中は「赤色」のように色分けして点灯させることで、状態が容易にわかるようにしている。
【００１６】
また、操作部４ｃの操作により、表示している内容を現在、もしくは過去に変更したり、表やグラフへ切り替えたりしている。
【００１７】
この他、表示装置４では家庭内の電気使用量がわかるように消費電力を表示している。これは、前述した発電電力と売電または買電電力から「発電電力−売電電力＝消費電力、発電電力＋買電電力＝消費電力」という制御部４ｅによる演算により表示している。さらに、表示装置４では図２に示す時計機能（時計部４ｄ）と記憶機能（記憶部４ｆ）があることで、時間や日にち単位、あるいは月や年単位で電力量をグラフや表で表示する機能を設けている。なお、買電電力に関しては、全量買取の契約では管理不要となる。そして、これらの発電電力情報、売電や買電電力情報、消費電力などの情報は記憶部４ｆで蓄積され発電がない夜間でもデータが消えないようにしている。
【００１８】
図３、図４、図５は太陽光発電システム１００用の表示装置４の表示例を示す説明図である。
また、図６、７は太陽光発電システム１００用の表示装置４のＬＥＤ表示部４０１の点灯設定と表示部４０２の表示設定の例を示す説明図である。ＬＥＤ表示部４０１は、ＬＥＤ部４ａに従い、売電中は「青色」、買電中は「赤色」のように色分けして点灯させることで、状態が容易にわかるようにしている。表示部４０２は、表示部４ｂに従い、発電電力や売電または、買電電力データを演算し、表示できる。更に、年月日時間も表示することが可能である。なお、ＬＥＤ表示部４０１及び表示部４０２は点灯状態だけでなく消灯状態にもできる。
【００１９】
図３は、パワーコンディショナ３が発電中であり、バックライトを付加して電力値を表示する表示部４０２、ＬＥＤ表示部４０１も「青色＝売電」点灯している状態を示している。この設定は、図６の設定項番１、図７の設定項番１の例である。
【００２０】
図４は、パワーコンディショナ３が停止中であり、表示部４０２のバックライトを含めて消灯しており、ＬＥＤ表示部４０１は「赤色＝買電」点灯している状態を示している。この設定は、図６の設定項番３、図７の設定項番４の例である。
【００２１】
図５は、パワーコンディショナ３が停止中であり、表示部４０２のバックライトを含めて消灯しており、かつＬＥＤ表示部４０１も消灯している状態を示している。この設定は、図６の設定項番４、図７の設定項番５の例である。
【００２２】
また、図３、および図４いずれの場合もスイッチ部４０３を押した場合には、表示部４０２を表示させて内容を選択して現在の状態を表示して確認できるものである。
【００２３】
この他、本実施例ではＬＥＤ表示部４０１を青：売電、赤：買電としているが、色を変更したり、点灯状態を点滅状態等に変更しても同様の効果を得られるものである。
【００２４】
また、表示部４０２の表示内容を設定する設定項番とＬＥＤ表示部４０１の点灯内容を設定する設定項目をまとめたパターンの設定にしても同様の効果を得られるものである。
【００２５】
さらに、センサ装置８と表示装置４においては、本実施例では無線によるデータ通信の例であるが、有線接続による通信においても同様な効果が得られるものである。
【００２６】
以上により、パワーコンディショナ３が発電していない、いわゆる売電していない時間帯において、太陽光に関わる周辺機器の表示装置４について、「ＬＥＤを点灯させない」、「画面を表示させない」など、ユーザ側のエコ意識に沿った運用形態となるよう容易に設定することができる。
【符号の説明】
【００２７】
１００    太陽光発電システム
１        太陽電池モジュール
２        接続装置
３        パワーコンディショナ
４        表示装置
５        系統（電力会社）
６        電力メータ（売、買）
７        電流センサ
８        センサ装置
９        分電盤
１０      家庭内機器
４０１    ＬＥＤ表示部
４０２    表示部
４０３    スイッチ部
【図１】
2018133863.tif 000003
【図２】
2018133863.tif 000004
【図３】
2018133863.tif 000005
【図４】
2018133863.tif 000006
【図５】
2018133863.tif 000007
【図６】
2018133863.tif 000008
【図７】
2018133863.tif 000009